(57)【要約】【課題】固有情報が記録された無線情報認識部材を埋設した記録材に、新たな図または写真などの固有情報を付加することが可能な印刷装置を提供する。【解決手段】記録材３に埋め込まれるとともに、第１の情報が記録された、大きさ０.５ｍｍ角以下、厚さ０.１ｍｍ以下の無線情報認識部材１から、第１の情報を検出し、この検出結果に基づき取得した第２の情報に基づき記録材に印刷を行う。【選択図】図１
2005066980.tif 000002
【特許請求の範囲】
【請求項１】
第１の情報が記録された、大きさ０.５ｍｍ角以下、厚さ０.１ｍｍ以下の無線情報認識部材を埋設した記録材に印刷を行う印刷装置であって、前記無線情報認識部材から第１の情報を無線で読み取る検出手段と、前記検出手段の検出結果に基づき、予め設けられた保存データを検索し、第２の情報を得るデータ処理手段と、第２の情報に基づき前記記録材に印刷を行う印刷手段とを備えたことを特徴とする印刷装置。
【発明の詳細な説明】
【技術分野】
【０００１】
本発明は、無線情報認識部材を埋設した記録材に印刷を行う印刷装置に関するものである。
【背景技術】
【０００２】
図４および図５に従来技術を示す。
【０００３】
印刷装置１１は、固有情報が記録されたバーコード９が印刷された記録材１３または固有情報が記録された磁気テープ（図示せず）が貼られた記録材１３を使用する。なお、記録材１３としては、用紙やプラスチック板などが使用される。
【０００４】
記録材１３に記録されたバーコード９または磁気テープによる第１の情報は、検出部１０で検出され、その検出結果に基づく第２の情報がデータ処理部４にて、予め設けられた保存データから検索され、印刷部５に送られる。
【０００５】
印刷部５は、インクヘッド１６において第２の情報に基づくデータを記録材３に印刷する。固有情報が記録されたバーコード９が印刷された記録材１３の情報が、それぞれ「ａ」、「ｔ」であった時は、検出部１０はバーコード９の情報を検出し、データ処理部４は「ａ」に関わる画像情報７「Ａ」、「ｔ」に関わる画像情報８「Ｔ」を保存データから検索する。
【０００６】
印刷部５は、固有情報「ａ」が記録された記録材１３に画像情報７「Ａ」を印刷し、固有情報「ｔ」が記録された記録材１３に画像情報８「Ｔ」を印刷する。これにより、記録材１３には新たな固有情報が付加される。
【発明の開示】
【発明が解決しようとする課題】
【０００７】
しかし、バーコード９が印刷された記録材１３の場合は、記録材１３上での情報量に対し、バーコード９の占める面積が大きいという問題がある。また、磁気テープが貼られた記録材１３の場合には、情報の検出が接触方式であり、検出部１０の接触部に紙紛が溜まり、情報を誤検出したり、検出できない場合がある。
【課題を解決するための手段】
【０００８】
本発明は、大きさ０.５ｍｍ角以下、厚さ０.１ｍｍ以下の無線情報認識部材を埋設した記録材に印刷を行うにあたり、予め無線情報認識部材に記録された第１の情報から第２の情報を取得し、この第２の情報に基づき記録材に印刷を行うことを最も主要な特徴とする。
【発明の効果】
【０００９】
本発明の印刷装置によれば、固有情報が記録された無線情報認識部材を埋設した記録材に、新たな図または写真などの固有情報を付加することが可能となる。また、記録材に誤った情報を印刷することがなく、情報管理の信頼性を高めることができる。
【発明を実施するための最良の形態】
【００１０】
固有情報が記録された記録材（ドキュメントや帳票など）の管理情報に、新たな情報を付加するとともに、情報管理システムの信頼性を高めるという目的を、小型の無線情報認識部材が埋め込まれた記録材を用いることにより実現した。
【実施例１】
【００１１】
以下、図１、図２および図３を用いて本発明の実施例を説明する。
【００１２】
図において、印刷装置６は、固有情報が記録された無線情報認識部材１が設けられた記録材３と、無線情報認識部材１から第１の情報を検出する検出部２と、第１の情報に基づきそれに関わる第２の情報を、保存データから検索するデータ処理部４と、第２の情報を記録材３に印刷する印刷部５とからなる。記録材３には、用紙またはプラスチック板などが使用される。記録材３の厚さは０.２ｍｍ以下である。
【００１３】
図２に、固有情報が記録された無線情報認識部材１を有する記録材３と、第１の情報を検出する検出部２を示す。無線情報認識部材１は、大きさが０.５ｍｍ角以下、厚さが０.１ｍｍ以下であり、１枚の記録材中に１個または複数個の無線情報認識部材１が埋め込まれている。なお、記録材３の厚さが０.０７ｍｍより薄い場合は、接着またはテープで固定される。
【００１４】
無線情報認識部材１には、個人の登録番号や製品管理情報などの固有情報が記録されている。無線情報認識部材１は、厚さが０.１ｍｍよりも大きい場合は、記録材３に埋め込んでも突き出してしまい、印刷装置６での搬送ができない。また、大きさが０.５ｍｍ角より大きい場合は、記録材３を曲げた時に角が突出してしまう。そのため、無線情報認識部材１としては、大きさが０.５ｍｍ角以下、厚さ０.１ｍｍ以下が好ましい。
【００１５】
検出部２は、記録材３に非接触で対向して、無線情報認識部材１に電波を送信し、無線情報認識部材１はそれを受信し、ＲＯＭに記録されている情報１を電波で返してくることにより第１の情報を検出している。
【００１６】
図３は、印刷装置６において固有情報が記録された無線情報認識部材１が埋め込まれた記録材３に、固有情報に関わる新たな情報を印刷した例を説明するものである。
記録材３に、固有情報が記録された無線情報認識部材１が１個埋め込まれた、厚さ約０.０９ｍｍの記録材１４を使用した。本実施例では、連続紙を使用したがカット紙を使用することも可能である。
【００１７】
無線情報認識部材１は大きさ０.５ｍｍ角、厚さ０.０７ｍｍである。記録材３の無線情報認識部材１の情報がそれぞれ「ａ」、「ｔ」であった時、検出部２は無線情報認識部材１の情報「ａ」、「ｔ」を検出し、データ処理部４は「ａ」に関わる画像情報７「Ａ」、「ｔ」関わる画像情報８「Ｔ」を、保存データから検索する。印刷部５は、画像情報「Ａ」７を「ａ」の固有情報が記録された記録材１４に、画像情報「Ｔ」８を「ｔ」の固有情報が記録された記録材１４に印刷する。
【００１８】
印刷部５は、インクジェット印刷または電子写真印刷によって、第２の情報を記録材に印刷する。これにより、それぞれの記録材１４には、新たな固有情報が付加された。
【００１９】
なお、本実施例では、インクジェット印刷機を使用した。インクジェット印刷機は、記録材１４を搬送ローラ１５にて搬送し、インクヘッド１６にて画像を印刷する。また、無線情報認識部材１として、日立製作所製ミユーチップ（登録商標）を使用することによっても、本実施例の実現が可能である。
【産業上の利用可能性】
【００２０】
固有情報が記録された無線情報認識部材の小型化により、それを埋め込んだ記録材３が、多用途に使用される。その中で、記録材３の無線情報認識部材１から情報を読み取り、新たな情報を付加する本発明の印刷装置は印刷業において利用の可能性は大きい。
【図面の簡単な説明】
【００２１】
【図１】実施例の印刷装置を示す概略図である。
【図２】実施例の印刷装置から情報を検出する概略説明図である。
【図３】実施例の情報処理手段を示す概略図である。
【図４】従来の印刷装置を示す概略図である。
【図５】従来例の情報処理手段を示す図である。
【符号の説明】
【００２２】
１  無線情報認識部材
２  検出部
３  記録材
４  データ処理部
５  印刷部
６  印刷装置
７  画像情報
８  画像情報
９  バーコード
１０  検出部
１４  記録材
１５  搬送ローラ
１６  インクヘッド
【図１】
2005066980.tif 000003
【図２】
2005066980.tif 000004
【図３】
2005066980.tif 000005
【図４】
2005066980.tif 000006
【図５】
2005066980.tif 000007